(57)【要約】【課題】  操作部を遮光する際の手間を軽減し、操作部の下端からの光漏れを防止した照光式スイッチ構造を提供する。【解決手段】  スイッチ部３７及びランプ４１を収納するとともに上面４２が開いたスイッチケース３４に、筒部材４３を上下動可能に挿入し、この筒部材４３の上端に平坦部４５及びこの平坦部４５の縁から下げたスカート部４７とからなる第１操作部３１を設け、第１操作部３１は透光材料で構成するとともに平坦部４５の上面の周囲及びスカート部４７の外周面に遮光膜５５を被せ、ランプ４１の光５６が平坦部４５から通過するもので、筒部材４３は不透光材料で構成するとともに、平坦部４５の下面６１の周囲６３、スカート部４７の内周面６４並びにスカート部の下端５１に被せたものである。【選択図】      図４
2006049004.tif 000002
【特許請求の範囲】
【請求項１】
内部にスイッチ部及びランプを収納するとともに上面が開いたスイッチケースに、筒部
材を上下動可能に挿入し、この筒部材の上端に平坦部及びこの平坦部の縁から下げたスカ
ート部とからなる移動部材を設け、前記スカート部の下端と前記スイッチケースの上面と
の間に移動部材の移動代に対応する隙間を設け、前記移動部材は透光材料で構成するとと
もに前記平坦部の上面の周囲及びスカート部の外周面に遮光膜を被せ、前記移動部材を押
し下げるとスイッチ接点が切り替わるとともに前記ランプの点灯／消灯が切り替わり、ラ
ンプの光が筒部材及び平坦部から通過する照光式スイッチ構造において、
前記筒部材の少なくとも上部は不透光材料で構成するとともにこの筒部材上部を延長し
て、平坦部の下面の周囲、スカート部の内周面並びにスカート部の下端に被せたことを特
徴とする照光式スイッチ構造。
【請求項２】
前記筒部材と移動部材とは２色成形法で製造したことを特徴とする請求項１記載の照光
式スイッチ構造。
【請求項３】
請求項１記載の照光式スイッチ構造は、ステアリングホイールの側部に付設するスイッ
チであることを特徴とする照光式スイッチ構造。
【発明の詳細な説明】
【技術分野】
【０００１】
本発明は、押ボタンを押すことで動作するスイッチ機構と発光源とを一体的に組合せた
照光式スイッチ構造に関するものである。
【背景技術】
【０００２】
照光式押ボタンスイッチの押ボタンの上面を照光させるとともに、上面以外を遮光した
ものが知られている（例えば、特許文献１参照。）。
【特許文献１】実開平７−３６３３３号公報（第２頁、図１）
【０００３】
特許文献１を次図に基づいて説明する。
図５は、従来の技術の基本構成を説明する図であり、従来のスイッチのノブ照明装置は
、スイッチケース１０１に、押ボタン若しくは操作部に相当するノブ１０２のノブ本体１
０３を変位自在に嵌め、スイッチケース１０１に一体に遮光片１０４，１０４を形成した
もので、遮光片１０４，１０４によって光漏れを防止することができるというものである
。
【０００４】
しかし、特許文献１のスイッチのノブ照明装置では、押ボタン若しくは操作部に相当す
るノブ１０２の端面（下端）１０５から照明光１０６が漏れやすい。特に、パネル１０７
が平らな場合には、照明光１０６の漏れは大きくなる。例えば、自動車の部品では、パネ
ル１０７に相当するものがないところに取付けることがあり、遮光膜を形成する際の手間
を軽減した遮光構造が望まれていた。
【発明の開示】
【発明が解決しようとする課題】
【０００５】
本発明は、操作部を遮光する際の手間を軽減し、操作部の下端からの光漏れを防止した
照光式スイッチ構造を提供することを課題とする。
【課題を解決するための手段】
【０００６】
請求項１に係る発明は、内部にスイッチ部及びランプを収納するとともに上面が開いた
スイッチケースに、筒部材を上下動可能に挿入し、この筒部材の上端に平坦部及びこの平
坦部の縁から下げたスカート部とからなる移動部材を設け、スカート部の下端とスイッチ
ケースの上面との間に移動部材の移動代に対応する隙間を設け、移動部材は透光材料で構
成するとともに平坦部の上面の周囲及びスカート部の外周面に遮光膜を被せ、移動部材を
押し下げるとスイッチ接点が切り替わるとともにランプの点灯／消灯が切り替わり、ラン
プの光が筒部材及び平坦部から通過する照光式スイッチ構造において、筒部材の少なくと
も上部は不透光材料で構成するとともにこの筒部材上部を延長して、平坦部の下面の周囲
、スカート部の内周面並びにスカート部の下端に被せたことを特徴とする。
【０００７】
請求項２に係る発明は、筒部材と移動部材とは２色成形法で製造したことを特徴とする
。
【０００８】
請求項３に係る発明では、照光式スイッチ構造は、ステアリングホイールの側部に付設
するスイッチであることを特徴とする。
【発明の効果】
【０００９】
請求項１に係る発明では、スイッチケースに上下動可能に挿入した筒部材の少なくとも
上部は不透光材料で構成するとともにこの筒部材上部を延長して、平坦部の下面の周囲、
スカート部の内周面並びにスカート部の下端に被せたので、ランプの光は遮光膜と筒部材
とによって、移動部材の樹脂の中を進み、下端に達するが、下端に取付けた不透光材料製
の筒部材は下端に達した光を遮光するので、下端から外に光は進まない。従って、移動部
材のスカート部の下端からの光漏れを防止することができるという利点がある。
【００１０】
請求項２に係る発明では、筒部材と移動部材とは２色成形法で製造したので、移動部材
と筒部材とを一体的に成形すると同時に、平坦部の下面の周囲、スカート部の内周面並び
にスカート部の下端を遮光することができ、移動部材を遮光する際の手間を軽減すること
ができる。
【００１１】
請求項３に係る発明では、照光式スイッチ構造は、ステアリングホイールの側部に付設
するスイッチであり、ステアリングホイールのスポークとは別体でステアリングホイール
の側部に一体的に取付けることができるとともに、意匠の向上を図ることができる。
【発明を実施するための最良の形態】
【００１２】
本発明を実施するための最良の形態を添付図に基づいて以下に説明する。「左」、「右
」は運転者から見た方向に従う。なお、図面は符号の向きに見るものとする。
図１は、本発明の照光式スイッチ構造を備えたステアリングホイールの斜視図であり、
ステアリングホイール１１は、運転者１２が握る円形のリム１３と、リム１３に連ねて内
方に伸ばした第１〜第４スポーク１４〜１７と、第１〜第４スポーク１４〜１７に連なる
ハブ２１と、ハブ２１に取付けたカバー部２２と、操作スイッチ装置２３と、を備える。
２４，２４はステアリングホイール１１の側部を示す。
【００１３】
操作スイッチ装置２３は、第１スポーク１４に第１スイッチ手段２５を配置し、第２ス
ポーク１５に第２スイッチ手段２６を配置し、第１・３第スポーク１４，１６間に配置す
るとともにハブ２１の左に左照光式押ボタンスイッチ２７を設け、第２・第４スポーク１
５，１７間に配置するとともにハブ２１の右に右照光式押ボタンスイッチ２８を設けたも
ので、例えば、ラジオコントロール、空調コントロール、クルーズコントロール、シフト
コントロールを行う。
【００１４】
左・右照光式押ボタンスイッチ２７，２８がステアリングホイール１１の側部２４，２
４に設けたスイッチであり、左・右照光式押ボタンスイッチ２７，２８は左手用、右手用
の違いを除いて共に同じ構造である。３１は移動部材であるところの第１操作部、３２は
移動部材であるところの第２操作部を示す。
次に右照光式押ボタンスイッチ２８を説明する。
【００１５】
図２は、本発明の照光式スイッチ構造の斜視図であり、右照光式押ボタンスイッチ２８
を示す。
右照光式押ボタンスイッチ２８は、指で押す第１操作部（移動部材）３１、第２操作部
（移動部材）３２と、これらの第１・第２操作部３１，３２を押し下げ（矢印ａ１，ａ１
の方向）可能に保持するスイッチケース３４と、を備える。５７はスイッチケース３４の
下部に、ハブ２１（図１参照）側に取付け可能に形成した取付け部を示す。
【００１６】
図３は、図２の３−３線断面図であり、右照光式押ボタンスイッチ２８の断面を示す。
右照光式押ボタンスイッチ２８、具体的には、内部３６にスイッチ部３７，３７及びラ
ンプ４１，４１を収納するとともに上面４２が開いたスイッチケース３４に、筒部材４３
，４３を上下動可能（Ｙ軸方向）に挿入し、この筒部材４３，４３の上端４４，４４に平
坦部４５及びこの平坦部４５の縁４６から下げたスカート部４７とからなる移動部材（第
１操作部）３１、移動部材（第２操作部）３２を設け、スカート部４７の下端５１とスイ
ッチケース３４の上面４２との間に移動部材（第１・第２操作部）３１，３２の移動代Ｓ
に対応する隙間Ｃを設け、移動部材（第１・第２操作部）３１，３２は、透光材料で構成
するとともに平坦部４５の上面５２の周囲５３及びスカート部４７の外周面５４に遮光膜
５５を被せ、移動部材（第１・第２操作部）３１，３２を押し下げるとスイッチ部３７，
３７のスイッチ接点（図に示していない）が切り替わるとともにランプ４１，４１の点灯
／消灯が切り替わり、ランプ４１の光５６が筒部材４３及び平坦部４５から通過するもの
である。
【００１７】
右照光式押ボタンスイッチ２８は、既に述べたように、第１操作部（移動部材）３１の
上面５２に表示部５８を形成するように塗布した遮光膜５５と、第１操作部（移動部材）
３１の下面６１に表示部５８を損なわないように取付けるとともに、第１操作部（移動部
材）３１の下端（端面）５１に取付けた不透光材料製の筒部材４３と、を備える。言い換
えると、筒部材４３の少なくとも上部６２は不透光材料で構成するとともにこの筒部材４
３の上部６２を延長（図２のＸ軸方向、Ｙ軸方向、Ｚ軸方向）して、平坦部４５の下面６
１の周囲６３、スカート部４７の内周面６４並びにスカート部４７の下端５１に被せたも
のである。
【００１８】
「少なくとも上部６２は不透光材料で構成する」とは、上部６２のみを不透光材料で造
ってもよく、筒部材４３全体を不透光材料で造ってもよいという意味である。
「光５６が筒部材４３及び平坦部４５から通過する」とは、光５６が筒部材４３の空間
を進んだ後、平坦部４５の樹脂を透過すること。
【００１９】
なお、右照光式押ボタンスイッチ２８は、スカート部４７の外周面５４や下端５１を隠
す構造ではなく、下端５１が見える構造であり、下端５１を隠すための部位や部品を必要とせず、照光式押ボタンスイッチの構造を簡単にすることができるとともに、意匠の向上を図ることができる。
【００２０】
ここで、移動部材（第１操作部）３１と筒部材４３とを一体的に成形したものを操作部
材６６とする。また、第２操作部３２と筒部材４３とを一体的に成形したものを操作部材
６７とする。
【００２１】
操作部材６６は、筒部材４３と移動部材（第１操作部）３１とを２色成形法で製造した
ものである。
次に操作部材６６の２色成形の一例を簡単に説明する。
２色成形に用いる２色成形装置は、筒部材４３を成形するための第１射出機並びに第１
金型と、移動部材（第１操作部）３１を成形するための第２射出機と第２金型を備える。
【００２２】
ＳＴ０１：まず、第１射出機に不透光樹脂材料を供給し、第２射出機に透光樹脂材料を
供給し、所定温度で可塑化する。
ＳＴ０２：可塑化した所定量の不透光樹脂材料を第１金型の筒部材４３に対応するキャ
ビティに射出する。
ＳＴ０３：その次に、第１金型を型開きしてスプールなど必要のない部分を切断する。
ＳＴ０４：第１金型の一方の金型内に筒部材４３を入れた状態で第２金型とで移動部材
（第１操作部）３１を成形するためのキャビティを形成する。
ＳＴ０５：最後に、第２金型とで形成したキャビティに可塑化した所定量の透光樹脂材
料を射出することで、第１操作部３１が完成すると同時に、操作部材６６の成形工程が完
成する。
操作部材６７の２色成形の成形方法は、操作部材６６の２色成形の成形方法と同様であ
る。
【００２３】
このように、照光式スイッチ構造（右押ボタンスイッチ）２８では、筒部材４３の上部
６２と移動部材（第１操作部）３１とは２色成形法で製造したので、操作部材６６（移動
部材３１と筒部材４３とからなる。）の成形が完了すると同時に、平坦部４５の下面６１
の周囲６３、スカート部４７の内周面６４並びにスカート部４７の下端５１を遮光するこ
とができ、第１操作部（移動部材）３１を遮光する際の手間を軽減することができる。
【００２４】
次に右照光式押ボタンスイッチ２８の動作について簡単に説明する。
右照光式押ボタンスイッチ２８は、移動部材（第１操作部）３１に力を加えて移動部材
（第１操作部）３１を移動代Ｓだけ押し下げると、スイッチ部３７が動作状態を保持する
ことで、ランプ４１を点灯し続ける。次に移動部材（第１操作部）３１を押すと、スイッ
チ部３７はロックを解除してランプ４１を消灯する。
次に本発明の照光式スイッチ構造の作用を説明する。
【００２５】
図４は、本発明の照光式スイッチ構造の作用図であり、右照光式押ボタンスイッチ２８
の操作部材６６を用いて作用を説明する。
操作部材６６を押し下げることで、スイッチ部３７を矢印ａ２のように押してランプ４
１を点灯すると、ランプ４１から発する光５６は筒部材４３によって遮光される。詳しく
は、光５６は遮光膜５５と筒部材４３とによって、移動部材（第１操作部）３１の樹脂の
内部を矢印のように進み、下端（端面）５１に達するが、下端５１に取付けた不透光材料
製の筒部材４３によって遮光される。従って、第１操作部３１の下端５１からの光漏れを
防止することができる。
【００２６】
言い換えると、筒部材４３の少なくとも上部６２は不透光材料で構成するとともにこの
筒部材４３の上部６２を延長して、平坦部４５の下面６１の周囲６３、スカート部４７の
内周面６４並びにスカート部４７の下端５１に被せたので、筒部材４３によって下端５１
からの光漏れを防止することができる。
【００２７】
図１に示すように、照光式スイッチ構造（右照光式押ボタンスイッチ）２８は、ステア
リングホイール１１の側部２４に付設するスイッチであり、ステアリングホイール１１の
第１・第２スポーク１４，１５とは別体でステアリングホイール１１の側部２４に一体的
に取付けることができる。
【００２８】
尚、本発明の照光式スイッチ構造は、実施の形態では四輪車に適用したが、三輪車にも
適用可能であり、一般の車両に適用することは差し支えない。
【産業上の利用可能性】
【００２９】
本発明の照光式スイッチ構造は、四輪車に好適である。
【図面の簡単な説明】
【００３０】
【図１】本発明の照光式スイッチ構造を備えたステアリングホイールの斜視図
【図２】本発明の照光式スイッチ構造の斜視図
【図３】図２の３−３線断面図
【図４】本発明の照光式スイッチ構造の作用図
【図５】従来の技術の基本構成を説明する図
【符号の説明】
【００３１】
３１…移動部材（第１操作部）、３２…移動部材（第２操作部）、３４…スイッチケー
ス、３６…内部、３７…スイッチ部、４１…ランプ、４２…スイッチケースの上面、４３
…筒部材、４４…筒部材の上端、４５…平坦部、４６…平坦部の縁、４７…スカート部、
５１…スカート部の下端、５２…平坦部の上面、５３…平坦部の上面の周囲、５４…スカ
ート部の外周面、５５…遮光膜、５６…光、６１…平坦部の下面、６２…筒部材の上部、
６３…平坦部の下面の周囲、６４…スカート部の内周面、Ｃ…隙間、Ｓ…移動代。
【図１】
2006049004.tif 000003
【図２】
2006049004.tif 000004
【図３】
2006049004.tif 000005
【図４】
2006049004.tif 000006
【図５】
2006049004.tif 000007